(57)【要約】【課題】  装置の幅方向における大型化を抑制しつつ、原稿の搬送経路を開放可能にする。【解決手段】  原稿を載置可能な原稿台と、原稿台に載置された原稿を第１方向に移動して読み取る読取手段と、原稿台に対して原稿を押圧するための可撓性の押圧シートと、原稿を搬送する搬送経路を形成する搬送手段と、搬送手段を備えるベース部材と、ベース部材に設けられ、搬送経路の少なくとも一部を開放するためにベース部材に対して回動可能な開放部と、を備え、押圧シートの第１方向における一端が開放部に保持される画像読取装置であって、押圧シートの第１方向における他端を保持しベース部材に対して回動可能な回動部材を備えることを特徴とする画像読取装置。【選択図】  図６
2019083453.tif 000002
【特許請求の範囲】
【請求項１】
原稿を載置可能な原稿台と、
前記原稿台に載置された原稿を第１方向に移動して読み取る読取手段と、
前記原稿台に対して原稿を押圧するための可撓性の押圧シートと、
原稿を搬送する搬送経路を形成する搬送手段と、
前記搬送手段を備えるベース部材と、
前記ベース部材に設けられ、前記搬送経路の少なくとも一部を開放するために前記ベース部材に対して回動可能な開放部と、を備え、
前記押圧シートの前記第１方向における一端が前記開放部に保持される画像読取装置であって、
前記押圧シートの前記第１方向における他端を保持し前記ベース部材に対して回動可能な回動部材を備えることを特徴とする画像読取装置。
【請求項２】
前記開放部と前記回動部材とは、同じ方向に回動することを特徴とする請求項１に記載の画像読取装置。
【請求項３】
前記原稿台は原稿台ユニットに設けられ、
前記ベース部材と前記原稿台ユニットは装置奥側に配されたヒンジによって接続され、前記ベース部材は前記ヒンジを中心として前記原稿台ユニットに対して開閉可能であることを特徴とする請求項１または２に記載の画像読取装置。
【請求項４】
前記押圧シートに設けられるガイド部材と、
前記ベース部材に設けられ前記ガイド部材を摺動可能に保持するレール部材と、を備えることを特徴とする請求項１から３のいずれか１項に記載の画像読取装置。
【請求項５】
前記ガイド部材は、前記開放部の回動に応じて前記レール部材に対して摺動することを特徴とする請求項４に記載の画像読取装置。
【請求項６】
前記ガイド部材及び前記レール部材は装置手前側に配されることを特徴とする請求項４または５に記載の画像読取装置。
【請求項７】
前記ベース部材に設けられ前記開放部と前記レール部材との間に配されるリブを備え、
前記リブは前記押圧シートが前記ベース部材の内部に進入することを抑制することを特徴とする請求項４から６のいずれか１項に記載の画像読取装置。
【請求項８】
前記回動部材は、前記装置奥側と装置手前側の少なくとも２箇所において前記押圧シートを保持することを特徴とする請求項３に記載の画像読取装置。
【請求項９】
前記開放部は、前記搬送経路の一部を形成することを特徴とする請求項１から８のいずれか１項に記載の画像読取装置。
【請求項１０】
記録媒体に画像を記録する記録手段と、請求項１から９のいずれか１項に記載の画像読取装置と、を備えることを特徴とする記録装置。
【発明の詳細な説明】
【技術分野】
【０００１】
本発明は、画像読取装置および記録装置に関する。
【背景技術】
【０００２】
特許文献１には、固定された読取手段により原稿を搬送しながら画像読取を行うシートスルー方式と、コンタクトガラス上に原稿を載せて読取手段を移動させて画像読取を行う原稿固定読取方式と、が可能なオートドキュメントフィーダ（ＡＤＦ）が記載されている。ＡＤＦにおいて、原稿をコンタクトガラスに押圧する圧板（シート）は、弾性を有する樹脂製白色シートとスポンジシートにより構成されている。
【０００３】
ＡＤＦの多くは、原稿ジャム処理及び内部の清掃の際に原稿の搬送経路を開放するためのガイド板に対して圧板が取り付けられている。特許文献１では、ガイド板に設けられたスライド可能な取付部に圧板を取り付けることで、ユーザがガイド板を開いて搬送経路を開放する際にガイド板と圧板がスライドするため、圧板が無理に曲げられるのを抑制している。
【先行技術文献】
【特許文献】
【０００４】
【特許文献１】特開２００２−２７８１７４号公報
【発明の概要】
【発明が解決しようとする課題】
【０００５】
しかしながら特許文献１の構成では、圧板が装置の幅方向にスライドする分だけガイド板にスペースを設ける必要があり、装置の幅方向における大型化を招いていた。
【０００６】
上記課題に鑑みて本発明は、装置の幅方向における大型化を抑制しつつ、原稿の搬送経路を開放可能な画像読取装置を提供することを目的とする。
【課題を解決するための手段】
【０００７】
本発明は、上記目的を達成するため、原稿を載置可能な原稿台と、前記原稿台に載置された原稿を第１方向に移動して読み取る読取手段と、前記原稿台に対して原稿を押圧するための可撓性の押圧シートと、原稿を搬送する搬送経路を形成する搬送手段と、前記搬送手段を備えるベース部材と、前記ベース部材に設けられ、前記搬送経路の少なくとも一部を開放するために前記ベース部材に対して回動可能な開放部と、を備え、前記押圧シートの前記第１方向における一端が前記開放部に保持される画像読取装置であって、前記押圧シートの前記第１方向における他端を保持し前記ベース部材に対して回動可能な回動部材を備えることを特徴とする。
【発明の効果】
【０００８】
本発明によれば、装置の幅方向における大型化を抑制しつつ、原稿の搬送経路を開放可能な画像読取装置が提供される。
【図面の簡単な説明】
【０００９】
【図１】画像読取装置の外観を示す斜視図である。
【図２】画像読取装置のＡＤＦを装置背面側から見た側面図である。
【図３】画像読取装置のＡＤＦの上面斜視図である。
【図４】画像読取装置のＡＤＦを装置手前側から見た断面図である。
【図５】画像読取装置の押圧シートが閉じた状態を示す断面図である。
【図６】画像読取装置の押圧シートが開いた状態を示す断面図である。
【図７】画像読取装置の回動部材近傍を拡大した概略断面図である。
【図８】画像読取装置のガイド部材近傍を拡大した上面透過図である。
【発明を実施するための形態】
【００１０】
本発明は、オートドキュメントフィーダ（ＡＤＦ）を備え、イメージセンサ（読取手段）によって原稿を読み取る読取装置（原稿読取装置）に適用することができる。また、読取装置の他、読取機能とともに画像を記録する記録機能を備えた記録装置にも適用することができる。記録装置には、プリント機能（記録機能）の他、ＦＡＸ機能等その他の機能を併せ持った複合装置（複合機）が含まれるものとする。さらに本発明は、読取機能に代えて記録媒体に画像を記録する記録機能を備えた記録装置にも適当することができる。その場合、給送トレイには原稿ではなく画像を記録する対象である記録媒体を積載し、搬送経路中には読取手段に代えて記録部を設け、記録部によって搬送される記録媒体に画像を記録する。
【００１１】
図１は、画像読取装置１００の外観を示す斜視図である。画像読取装置１００は、記録手段を備える記録装置の上等に配されていてもよい。画像読取装置１００は、原稿を載置可能な原稿台ガラス２１が設けられた原稿台ユニット３１３と、原稿台ユニット３１３に対してヒンジ８０１及びヒンジ８０２により開閉可能なＡＤＦ７０１とを有する。ヒンジ８０１とヒンジ８０２はそれぞれ、図１に示すＸ方向において左右に配され、装置奥側（Ｙ方向下流側）に配されている。図１では、原稿台ユニット３１３に対してＡＤＦ７０１が開いた状態を示す。
【００１２】
ＡＤＦ７０１のうち、原稿台ユニット３１３と対向する面にはベース部材２４が配されている。ベース部材２４には、原稿を読み取る際に原稿台ガラス２１に原稿を押圧するための押圧シート２２と、押圧シート２２の一端が取り付けられる開放部２３と、押圧シート２２の他端が取り付けられる回動部材２５が設けられている。本実施形態においては、２つの回動部材２５が２箇所に設けられているが、回動部材２５の個数はこれに限定されない。可撓性の押圧シート２２は、弾性を有する樹脂製白色シート２２ｐとスポンジシート２２ｓにより構成されており、原稿台ガラス２１と対向する面に樹脂製白色シートが配され、ベース部材２４に取り付けられる面にスポンジシートが配されている。また、ベース部材２４には、開放部２３の回動を規制可能な規制部材２８が設けられている。
【００１３】
なお、以降でＸ方向は画像読取装置１００の幅方向を示し、Ｙ方向は奥行方向を示し、Ｚ方向は高さ（鉛直）方向を示す。画像読取装置１００を使用するために装置を前面から見た場合に、Ｘ方向の上流側は装置の左側と対応し、下流側は装置の右側と対応する。また、Ｙ方向の上流側は画像読取装置１００の使用時において手前（前面）側と対応し、下流側は奥（背面）側と対応する。
【００１４】
図２は、ＡＤＦ７０１をＹ方向下流側、つまり画像読取装置１００の背面側から見た側面斜視図である。ヒンジ８０１とヒンジ８０２が装置の背面側に設けられていることから、ユーザは装置の手前側からＡＤＦ７０１の開閉操作が可能となっている。ヒンジ８０１とヒンジ８０２はそれぞれ、回転軸とダンパ機構を有している。２つの回転軸の軸方向は、共に同一方向（Ｘ方向）である。ヒンジ８０１とヒンジ８０２はそれぞれ、ヒンジ構成部品の一方がベース部材２４に固定され、他方が原稿台ユニット３１３に固定されている。
【００１５】
図３は、ＡＤＦ７０１を上から見た外観を示す上面斜視図である。ＡＤＦ７０１の上面には原稿トレイ２０２が設けられ、ユーザによって原稿トレイ２０２の上に原稿２０１がセットされる。
【００１６】
図４は、画像読取装置１００を手前側から見たときのＡＤＦ７０１の内部構造を示す断面図である。ＡＤＦ７０１は、原稿を搬送する搬送経路を有し、搬送経路は搬送される原稿２０１がＵターンして反転するためのＵターンパスを有している。すなわち、原稿トレイ２０２にセットされた原稿２０１はＸ方向の上流側に搬送された後、Ｕ字状に反転されてＸ方向の下流側に向けて搬送され、原稿トレイ２０２の下方に配される排出トレイ２１１に排出される。
【００１７】
ＡＤＦ７０１には、原稿トレイ２０２にセットされた原稿２０１の有無を検知する原稿検知センサ２１３と、原稿２０１の先端を検知して読取のタイミングを決定するためのエッジセンサ２１４が備えられている。また、ＡＤＦ７０１の給紙口近傍には分離ローラ２０３が配され、原稿トレイ２０２に積載された原稿２０１を一枚ずつに分離して給紙する。搬送経路上には、原稿２０１を搬送する搬送手段としての第１搬送ローラ２０５、第２搬送ローラ２０８が配され、排出口の近傍には原稿２０１を排出するための排出ローラ２０９が備えられている。これらのローラは不図示の駆動源によって回転可能となっている。各ローラによって搬送される原稿２０１の第１面を第１読取センサ（読取手段）２０７が読み取った後、第２面を第２読取センサ（読取手段）３１４が読み取る。なお、第１読取センサ２０７は原稿台ユニット３１３に配され、第２読取センサ３１４はＡＤＦ７０１に配されている。
【００１８】
以下に、ＡＤＦ７０１による原稿２０１の読取動作（シートスルー読取方式）の詳細を説明する。ユーザによって原稿２０１が原稿トレイ２０２にセットされると、原稿検知センサ２１３によって検知される。その後、読取動作を開始する指令に従って、原稿２０１は分離ローラ２０３によって分離搬送されてＵターンパスで反転される。反転後、原稿２０１は第１搬送ローラ２０５によって搬送されながらエッジセンサ２１４で先端を検知されると、搬送ガイド部材２１５と原稿台ユニット３１３に設けられる原稿台ガラス２１の間に送り込まれる。搬送ガイド部材２１５は、弾性機構によって原稿２０１を原稿台ユニット３１３に押圧することで読み取りの精度を向上させる役割を持つ。
【００１９】
エッジセンサ２１４によって原稿２０１の先端を検知後、駆動源のステップカウントが所定数になるまで搬送されると、原稿２０１の先端が第１読取センサ２０７に到達し、第１搬送ローラ２０５による搬送に合わせて第１面が読み取られる。このときの第１面とは、原稿２０１が原稿トレイ２０２にセットされたときの上面に対応する。
【００２０】
搬送ガイド部材２１５よりも下流に搬送された原稿２０１は、第１読取センサ２０７での読取開始後に駆動源のステップカウントが所定数になるまで開放部２３に沿って搬送されると、第２読取センサ３１４によって第２面が読み取られる。ここで第２面とは、第１面の裏側の面であり、原稿２０１が原稿トレイ２０２にセットされたときの下面に対応する。
【００２１】
原稿２０１の後端がエッジセンサ２１４によって検知されて、駆動源のステップカウントが所定数になるまで搬送されると、第１読取センサ２０７による読み取りを終了した後、第２読取センサ３１４による読み取りを終了する。第２読取センサ３１４を通過した原稿２０１は、第２搬送ローラ２０８と排出ローラ２０９を通過して排出トレイ２１１に排出される。このように、駆動源のステップカウントによって、第１読取センサ２０７及び第２読取センサ３１４と原稿２０１の先後端の距離を取得して、各ローラによる原稿２０１の搬送と読取のタイミングを合わせている。
【００２２】
続いて、原稿２０１の固定読取方式によるＡＤＦ７０１の読取動作を説明する。固定読取方式においては、原稿２０１は移動せず、読取センサが移動しながら画像を読み取っていく。具体的には、原稿台ユニット３１３に配された第１読取センサ２０７が原稿台ガラス２１の下面に沿ってＸ方向に移動することで、原稿台ガラス２１上に載置された原稿２０１の下面の画像を読み取る。
【００２３】
図５及び図６は、画像読取装置１００を手前側から見たときのＡＤＦ７０１の内部構造を示す概略断面図であり、図４を一部簡略化したものである。図５は開放部２３が閉じた状態を示し、図６は開放部２３が開いた状態を示す。上述したように、開放部２３はシートスルー読取方式の際に原稿２０１の搬送経路の一部を形成しており、ベース部材２４に対して軸２３ａを中心に反時計回りに回動可能に取り付けられている。開放部２３は押圧シート２２のＸ方向における一端（端部２２ａ）が固定されているため、図６に示すように、端部２２ａは開放部２３と共に回動して鉛直下方に向かって移動する。
【００２４】
開放部２３の回動は、ベース部材２４に設けられた規制部材２８によって規制される。規制部材２８が規制位置のときは開放部２３の回動が規制され、解除位置のときは開放部２３が回動可能となる。
【００２５】
押圧シート２２のＸ方向における他端（端部２２ｂ）は、２つの回動部材２５に対して固定されている。回動部材２５は、図１に示すように、押圧シート２２のＹ方向における両端部に設けられている。図７は、図５及び図６において回動部材２５近傍を拡大した概略側面図である。図７（ａ）は回動部材２５が閉じた状態であって図５と対応し、図７（ｂ）は回動部材２５が開いた状態であって図６と対応する。図７（ｂ）に示すように、回動部材２５は回動軸２５ｃを中心として回動可能なヒンジ形状であり、第１面２５ａはベース部材２４に対して固定され、第２面２５ｂは押圧シート２２の端部２２ｂ近傍に対して固定されている。回動部材２５は、開放部２３と同様、回動軸２５ｃを中心として反時計回りに回動可能である。
【００２６】
押圧シート２２のＸ方向における中央近傍であって、装置手前側（Ｙ方向上流側）には、ガイド部材２６が設けられている。また、ベース部材２４には、ガイド部材２６が摺動可能なレールを備えるレール部材２７が設けられている。図８は、ガイド部材２６とレール部材２７を上面から透過して見た拡大図である。
【００２７】
押圧シート２２は、先述したように樹脂製白色シート２２ｐとスポンジシート２２ｓによって構成され、ガイド部材２６はスポンジシート２２ｓ側に取り付けられている。本実施形態では、スポンジシート２２ｓのうち、ガイド部材２６が設けられてレール部材２７に対して摺動する領域に対応する部分は切り抜かれている。スポンジシート２２ｓが切り抜かれた部分は樹脂製白色シート２２ｐが露出し、ガイド部材２６はその露出した樹脂製白色シート２２ｐに対して取り付けられることで、固定されている。
【００２８】
レール部材２７は、取付け部２７ａと接続部２７ｂとレール部２７ｃとが一体的にコの字状に形成された部材であり、ベース部材２４に設けられている。取付け部２７ａはベース部材２４に対してネジ等で取付けられ、レール部２７ｃはガイド部材２６が摺動可能なレールを形成している。接続部２７ｂは、取付け部２７ａとレール部２７ｃとを接続する。ガイド部材２６は、レール部２７ｃのレール形状に対応する開口を有するように形成されており、本実施形態では矩形状の開口が設けられている。組立時にガイド部材２６が図８に示す矢印の方向に沿ってレール部２７ｃに嵌め込まれることで、ガイド部材２６は摺動可能な構成となる。
【００２９】
なお、押圧シート２２とその周辺部材を組み立てる際は、まず押圧シート２２のＸ方向における端部をそれぞれ開放部２３及び回動部材２５に対して取り付ける。このとき、押圧シート２２には既にガイド部材２６が取り付けられている。その後、一旦開放部２３を開放させた状態で、ガイド部材２６の開口に対してレール部材２７を通した後、レール部材２７をベース部材２４に対してネジなどで取り付ける。
【００３０】
以上より、押圧シート２２のＸ方向における一端（端部２２ａ）は開放部２３に対して取り付けられ、他端（端部２２ｂ）は回動部材２５が配された２箇所に対して取り付けられる。また、押圧シート２２のＸ方向における中央近傍は、ガイド部材２６がレール部材２７に対して摺動可能に保持される。すなわち、押圧シート２２はベース部材２４に対してＸ方向における両端部と中央近傍が部分的に保持される構成となっている。これにより、押圧シート２２の全体がベース部材２４に対して取り付けられ固定される構成と比較すると、本実施形態の押圧シート２２は、原稿２０１の形状に対してならうように形状変化可能な構成となっている。そのため、押圧シート２２は原稿２０１を確実に原稿台ガラス２１上に対して押圧することができ、読取の精度を向上させることができる。
【００３１】
図５及び図６に戻って、開放部２３を開くときの各部材の動きを説明する。ユーザが規制部材２８を解除位置に移動させて規制を解除すると、開放部２３は軸２３ａを中心に反時計回りに回動する。これにより、ＡＤＦ７０１内部の搬送経路の一部が露出して開放され、ユーザはジャム処理やメンテナンスのために搬送経路にアクセス可能となる。
【００３２】
開放部２３の回動に伴って押圧シート２２の端部２２ａもＸ方向下流側に移動することから、押圧シート２２全体もＸ方向下流側へ移動する。この動きに対応するように、ガイド部材２６がレール部材２７に対してＸ方向下流側（図６に示す矢印方向）へ摺動する。ガイド部材２６の摺動によって移動する押圧シート２２の動きに伴って、端部２２ｂは回動部材２５と共に回動軸２５ｃを中心として回動する。その結果、ガイド部材２６と端部２２ｂの間の押圧シート２２はループ形状に撓む。この撓みによって、開放部２３の開放による押圧シート２２のＸ方向の移動分が吸収される。
【００３３】
また、本実施形態では回動部材２５がＹ方向において一部に設けられていることで、回動部材２５を回動させるために必要な力を低減することができる。そのため、開放部２３の回動によって生じる押圧シート２２のＸ方向下流側へ移動する力が小さくても、回動部材２５は容易に回動し、これにより押圧シート２２が無理に曲げられることなどを抑制することができる。
【００３４】
このように本実施形態では、ユーザが開放部２３を回動すると、押圧シート２２のＸ方向下流側への移動に沿ってガイド部材２６が摺動し、回動部材２５が回動する。これにより、ＡＤＦ７０１の幅方向（Ｘ方向）に対する大きさは変更することなく開放部２３を回動して搬送経路を開放可能となっている。また、ガイド部材２６が装置手前側に配されてベース部材２４に対して摺動可能に保持されているため、ユーザがベース部材２４内部にアクセスして誤操作してしまうのを抑制することができる。
【００３５】
また、図５及び図６に示すように、ベース部材２４にはリブ２４ａが設けられている。開放部２３の反時計回りの回動によって、端部２２ａとガイド部材２６の間の押圧シート２２に対して鉛直上方へ向かう力がかかり、ベース部材２４の内部へ向かって撓みが生じる可能性がある。本実施形態のようにリブ２４ａを設けることで、押圧シート２２がベース部材２４の内部へ進入するのを抑制することができる。
【符号の説明】
【００３６】
２１  原稿台ガラス
２２  押圧シート
２３  開放部
２４  ベース部材
２５  回動部材
１００  画像読取装置
２０１  原稿
２０５  第１搬送ローラ（搬送手段）
２０７  第１読取センサ（読取手段）
２０８  第２搬送ローラ（搬送手段）
３１４  第２読取センサ（読取手段）
７０１  ＡＤＦ
【図１】
2019083453.tif 000003
【図２】
2019083453.tif 000004
【図３】
2019083453.tif 000005
【図４】
2019083453.tif 000006
【図５】
2019083453.tif 000007
【図６】
2019083453.tif 000008
【図７】
2019083453.tif 000009
【図８】
2019083453.tif 000010